(57)【要約】【課題】爆発事故を抑制できる現場計器を提供する。【解決手段】プロセス装置に用いられ、防爆ケースに覆われ、ネットワークを介して遠隔の制御装置に接続される現場計器において、前記防爆ケースの開閉カバーと、前記開閉カバーの開閉を検出するアラームスイッチと、前記ケースと前記カバーとから覆われ、前記開閉カバーが開いたときにアラームを生成し、前記ネットワークに前記アラームを伝送するアンプボードとを備える。【選択図】                    図１
2007241834.tif 000002
【特許請求の範囲】
【請求項１】
プロセス装置に用いられ、防爆ケースに覆われ、ネットワークを介して遠隔の制御装置に接続される現場計器において、
前記防爆ケースの開閉カバーと、
前記開閉カバーの開閉を検出するアラームスイッチと、
前記ケースと前記カバーとから覆われ、前記開閉カバーが開いたときにアラームを生成し、前記ネットワークに前記アラームを伝送するアンプボードとを備える
ことを特徴とする現場計器。
【請求項２】
前記アラームに基づき、前記アンプボードの消費電力が低下する
ことを特徴とする請求項１記載の現場計器。
【請求項３】
前記アラームは、前記ネットワークに接続された機器の警報音のトリガを有する
ことを特徴とする請求項２記載の現場計器。
【発明の詳細な説明】
【技術分野】
【０００１】
本発明は、プロセス装置に用いられ、ネットワークを介して遠隔の制御装置に接続される現場計器に関し、特に、防爆仕様が要求され、防爆ケースに覆われた現場計器に関する。
【背景技術】
【０００２】
図２は、従来の現場計器を示す構成図である。具体的には、例えば、石油化学製品の精製、食品の加工、電力の発生その他の産業上のプロセスを測定し制御するプロセス装置に用いられる現場計器である。また、この現場計器は、例えば、プロセス流体の圧力、流量、温度を測定しネットワークに伝送する差圧・圧力伝送器、流量伝送器、温度伝送器であり、あるいは、例えば、バルブコントローラ等のアクチュエータである。
【０００３】
同図において、開閉カバー１１と防爆ケース１２とはそれぞれ防爆仕様に適合するように形成される。また、アンプボード１３’は、開閉カバー１１と防爆ケース１２とに覆われ、気密に閉塞される。また、アンプボード１３’は、ネットワーク（図示せず）を介して、遠隔の制御装置（図示せず）に接続される。そして、アンプボード１３’は、例えば、電気回路を備え、センサ（図示せず）からの信号を処理し、測定した信号をネットワークに伝送する。
【０００４】
このような図１の実施例において、現場でアンプボード１３’の保守、部品交換、電源接続を行うことがある。このとき、作業員は、アンプボード１３’の電源をオフにした後、開閉カバー１１を開けて作業を行う必要がある。つまり、アンプボード１３’が通電中に開閉カバー１１を開けると、爆発事故になる可能性があるため、開閉カバー１１の開閉を制限する必要がある。
【０００５】
そして、現場計器の取り扱い説明書と銘板とには、アンプボード１３’の通電中に開閉カバー１１を開けない旨の注意事項が記載されている。
【０００６】
【特許文献１】特開平９−１５９４９１号公報
【特許文献２】特開平８−２００９４４号公報
【発明の開示】
【発明が解決しようとする課題】
【０００７】
しかしながら、作業者が、アンプボードの通電中に開閉カバーを開けてはいけないことを忘れることがある。そして、アンプボードの通電中に開閉カバーが開けられ、爆発事故が発生するという課題がある。
【０００８】
本発明の目的は、以上説明した課題を解決するものであり、爆発事故を抑制できる現場計器を提供することにある。
【課題を解決するための手段】
【０００９】
このような目的を達成する本発明は、次の通りである。
（１）プロセス装置に用いられ、防爆ケースに覆われ、ネットワークを介して遠隔の制御装置に接続される現場計器において、前記防爆ケースの開閉カバーと、前記開閉カバーの開閉を検出するアラームスイッチと、前記ケースと前記カバーとから覆われ、前記開閉カバーが開いたときにアラームを生成し、前記ネットワークに前記アラームを伝送するアンプボードとを備えることを特徴とする現場計器。
（２）前記アラームに基づき、前記アンプボードの消費電力が低下することを特徴とする（１）記載の現場計器。
（３）前記アラームは、前記ネットワークに接続された機器の警報音のトリガを有する
ことを特徴とする（２）記載の現場計器。
【発明の効果】
【００１０】
本発明によれば次のような効果がある。
本発明によれば、爆発事故を抑制できる現場計器を提供できる。また、開閉カバーが開いたときにアラームが生成され伝送され、アンプボードの消費電力が低下し、警報音が生じる。
【発明を実施するための最良の形態】
【００１１】
以下に図１に基づいて本発明を詳細に説明する。図１は、本発明の一実施例を示す構成図である。図２の従来例と同一の要素には同一符号を付し、説明を省略する。また、アンプボード１３は、図２の従来例のアンプボード１３’に対応する。
【００１２】
図１の実施例の特徴は、アラームスイッチ２１に係る構成にある。
【００１３】
アラームスイッチ２１は、例えば、開閉カバー１１が閉じたときにオンとなり、開閉カバー１１が開いたときにオフとなる。このようにして、アラームスイッチ２１は、開閉カバー１１の開閉を検出する。
【００１４】
また、アンプボード１３は、開閉カバー１１が開いたときにアラームを生成し、ネットワーク（図示せず）にアラームを伝送する。具体的には、アンプボード１３は、アラームスイッチ２１に接続され、アラームスイッチ２１がオフのときに、アラームを生成し、伝送する。
【００１５】
こうして、ネットワークを介した遠隔の制御装置は、開閉カバー１１の開閉に基づくアラームを得ることができる。同様に、ネットワークに接続された、ハンディターミナル（図示せず）も、開閉カバー１１の開閉に基づくアラームを得ることができる。
【００１６】
このため、現場の作業者のみならず、遠隔の管理者が、保守、部品交換、電源接続その他の作業が正しく行われているかどうかを確認できる。
【００１７】
さらに、アンプボード１３は、開閉カバー１１の開閉に基づくアラームに基づき、アンプボード１３の消費電力が低下させる。具体的には、アンプボード１３は、例えば、アラームが発生したときは、アンプボード１３の電源をオフにする。
【００１８】
こうして、作業者が、誤って、アンプボード１３の通電中に開閉カバー１１を開けたときは、アラームスイッチ２１がオフとなり、アラームが発生し、アンプボード１３の電源がオフとなる。
【００１９】
よって、このような作業ミスに基づく爆発事故を抑制できる。
【００２０】
さらに、開閉カバー１１の開閉に基づくアラームは、ネットワークに接続された機器（図示せず）の警報音のトリガを有する。
【００２１】
こうして、作業者が、誤って、アンプボード１３の通電中に開閉カバー１１を開けたときは、アラームスイッチ２１がオフとなり、アラームが発生し、ネットワークに接続された機器が警報音を発する。
【００２２】
よって、現場の作業者、遠隔の管理者は、作業ミスがあったかどうかを迅速に認識できる。
【００２３】
また、本発明は、上述の実施例に限定されることなく、その本質を逸脱しない範囲でさらに多くの変更及び変形を含むものである。
【図面の簡単な説明】
【００２４】
【図１】本発明の一実施例を示す構成図である。
【図２】従来の現場計器を示す構成図である。
【符号の説明】
【００２５】
１１  防爆カバー
１２  開閉カバー
１３，１３’  アンプボード
２１  アラームスイッチ
【図１】
2007241834.tif 000003
【図２】
2007241834.tif 000004